(57)【要約】【課題】外装部材に撓むツメやフックを加えることなく、また、別部材を追加することなく、開閉部材の開閉時のクリック感を容易に出す構成にすること。【解決手段】外装にはクリック感を出すためのツメやフックは設けず、外装付近の別部材にその役割を持たせるべく、フックを設ける。開閉部材には従来と同じようなツメを設け、フックとツメが乗り上げを超えるときにクリック感を出すように出来る。フックの位置は、例えば、アームホルダであり、または、スイッチカバーとなる。この場合、開閉部材上にクリックツメを配している。アームボスはシャッタアームを押し込み、レーザシャッタを開けると同時に、クリックフックはアームホルダ上のフックを乗り越えるため、ユーザーにクリック感を与えることが出来る。【選択図】        図１
2005062269.tif 000002
【特許請求の範囲】
【請求項１】
画像信号によりレーザ光を照射するレーザスキャナと、
前記レーザスキャナのレーザ光照射口に回転により開閉可能に取り付けられレーザシャッタと、
前記レーザシャッタにリンク機構をもって前記レーザシャッタを回転させるように連結された棒状のシャッタアームと、
前記レーザスキャナと対向側に位置し、また、画像形成装置本体に対して開閉可能である開閉部材の近くに位置し、前記シャッタアームの端部を支えると共に、前記シャッタアームを鉛直方向にスライド動作させるためのガイドとなり、また、その形状は筒形状であるアームホルダと、
画像形成装置全体の動作や電源を制御する電装基板上に、ＯＮ／ＯＦＦにより、電源を管理するドアスイッチを持ち、
前記外装の一部である開閉部材が、
前記シャッタアームを押し込むためのアームボスを持ち、前記開閉部材の回転により前記アームボスが前記シャッタアームを押し込むと、前記レーザシャッタは回転により開き、
また、前記ドアスイッチを押し込むためのスイッチボスを持ち、前記開閉部材の回転により前記スイッチボスが前記ドアスイッチを押し込むと、前記ドアスイッチはＯＮ状態になり、
また、前記開閉部材の開閉時にクリック感を発生させるための突起部分を持ったクリックツメを持つ画像形成装置において、
前記アームホルダは、前記クリックツメが乗り越えることによって、クリック感を発生させるための突起部分であるクリックフックを持つことを特徴とする、画像形成装置の開閉機構。
【請求項２】
画像信号によりレーザ光を照射するレーザスキャナと、
前記レーザスキャナのレーザ光照射口に回転により開閉可能に取り付けられレーザシャッタと、
前記レーザシャッタにリンク機構をもって前記レーザシャッタを回転させるように連結された棒状のシャッタアームと、
前記レーザスキャナと対向側に位置し、また、画像形成装置本体に対して開閉可能である開閉部材の近くに位置し、前記シャッタアームの端部を支えると共に、前記シャッタアームを鉛直方向にスライド動作させるためのガイドとなり、また、その形状は筒形状であるアームホルダと、
画像形成装置全体の動作や電源を制御する電装基板上に、ＯＮ／ＯＦＦにより、電源を管理するドアスイッチを持ち、
前記外装の一部である開閉部材が、
前記シャッタアームを押し込むためのアームボスを持ち、前記開閉部材の回転により前記アームボスが前記シャッタアームを押し込むと、前記レーザシャッタは回転により開き、
また、前記ドアスイッチを押し込むためのスイッチボスを持ち、前記開閉部材の回転により前記スイッチボスが前記ドアスイッチを押し込むと、前記ドアスイッチはＯＮ状態になる画像形成装置において、
前記開閉部材上にある前記アームボスはクリック感を発生させるための突起部分であるクリックツメを持ち、前記アームホルダはクリック感を発生させるための突起部分であるクリックフックを持ち、また、前記クリックフックは筒形状の前記アームホルダの１つの壁を用い、前記クリックツメは前記クリックフックを乗り越えてクリック感を発生させるとともに、前記シャッタアームは前記クリックツメが備えられた前記アームボスによって押し込まれ、クリック感を発生させると同時に、前記レーザシャッタの開閉が可能であることを特徴とする、画像形成装置の開閉機構。
【請求項３】
画像信号によりレーザ光を照射するレーザスキャナと、
前記レーザスキャナのレーザ光照射口に回転により開閉可能に取り付けられレーザシャッタと、
前記レーザシャッタにリンク機構をもって前記レーザシャッタを回転させるように連結された棒状のシャッタアームと、
前記レーザスキャナと対向側に位置し、また、画像形成装置本体に対して開閉可能である開閉部材の近くに位置し、前記シャッタアームの端部を支えると共に、前記シャッタアームを鉛直方向にスライド動作させるためのガイドとなり、また、その形状は筒形状であるアームホルダと、
画像形成装置全体の動作や電源を制御する電装基板上に、ＯＮ／ＯＦＦにより、電源を管理するドアスイッチを持ち、
前記外装の一部である開閉部材が、
前記シャッタアームを押し込むためのアームボスを持ち、前記開閉部材の回転により前記アームボスが前記シャッタアームを押し込むと、前記レーザシャッタは回転により開き、
また、前記ドアスイッチを押し込むためのスイッチボスを持ち、前記開閉部材の回転により前記スイッチボスが前記ドアスイッチを押し込むと、前記ドアスイッチはＯＮ状態になる画像形成装置において、
前記スイッチボスが前記ドアスイッチを押すためのガイド部材である筒形状であるスイッチカバーを持ち、前記スイッチボスは、前記スイッチカバーを通過して前記ドアスイッチを押し込み、
前記開閉部材上にある前記スイッチボスはクリック感を発生させるための突起部分であるクリックツメを持ち、前記スイッチカバーはクリック感を発生させるための突起部分であるクリックフックを持ち、また、前記クリックフックは筒形状の前記スイッチカバーの１つの壁を用い、前記クリックツメは前記クリックフックを乗り越えてクリック感を発生させるとともに、前記ドアスイッチは前記クリックツメが備えられた前記スイッチボスによって押し込まれ、クリック感を発生させると同時に、前記ドアスイッチのＯＮ／ＯＦＦ切り替えが可能であることを特徴とする、画像形成装置の開閉機構。
【発明の詳細な説明】
【０００１】
【発明の属する技術分野】
本発明は画像形成装置について開閉部材の開閉に関するものである。
【０００２】
【従来の技術】
従来の技術の一例を図１２に示す。画像形成装置１の外装である前カバー３にスリットを入れて撓みやすくしたクリックフック１６をつくり、また、開閉部材２にクリックツメ１５をつける。前記開閉部材２の開閉時のクリック感は前記開閉部材２のクリックツメ１５が前カバー３のクリックフック１６を乗り越えることにより出していた。クリックの位置は前記前カバー３のほか、外装部分である、サイドカバーにつけることも出来る。
【０００３】
また、レーザシャッタ５を開閉させるために、シャッタアーム７をリンク機構でつなぎ、アームホルダ８をガイドとして、外装に前記シャッタアーム７を位置させ、前記開閉部材２上に位置するアームボス１３が前記シャッタアームを押し込むことにより、前記レーザシャッタ５が開く。この前記レーザシャッタ５は、レーザ光を前記画像形成装置１外に漏れることを防ぐ部材で、前記開閉部材２が開いている状態では、前記レーザシャッタは閉じている。このため、前記開閉部材２が開いている状態では、例えば、電装基盤の故障などで、前記開閉部材２が開いている状態でレーザスキャナ４がレーザ光を照射してしまった場合にでも、前記レーザシャッタ５がレーザ光を遮るのでレーザ光が前記画像形成装置１外に漏れることを防いでいる。
【０００４】
また、ドアスイッチ９は電装基盤上に配置され、前記ドアスイッチ９のＯＮ／ＯＦＦにより、前記開閉部材２の開閉を電気的に感知し、また、例えば、ＬＥＤを点灯させるなどの手段をもってユーザーに前記開閉部材２の開閉状態を知らせる。前記開閉部材２上にスイッチボス１２を設け、前記スイッチボスが前記ドアスイッチを押すことにより、前記ドアスイッチ９はＯＮ状態になる。
【０００５】
【特許文献】
特開平０８−２９７４３５号
【０００６】
【発明が解決しようとする課題】
しかしながら、外装部分にスリットをつけ、クリック感を出すツメを作ることは、次のような問題がある。
【０００７】
画像形成装置の外観の制約で、スリットを大きく入れることが出来ない場合があり、そのために、ツメ部分が撓み難くなり、クリック感が固くなるなど、ユーザーに対するクリック感の調整が難しい。
【０００８】
また、スリットを大きく入れることが出来ない場合、ツメの撓みにより、塑性変形を起こしやすくなってしまう可能性がある。さらに、万が一、塑性変形を起こしてしまった場合、外装という、大きな部材の交換を行わなければならない。
【０００９】
また、レーザシャッタやドアスイッチを押す動作をほぼ同時に行わなければならなく、そのために、別部材を配する場合があった。
【００１０】
本発明に係る課題は、外装部材に撓むツメやフックを加えることなく、また、別部材を追加することなく、開閉部材の開閉時のクリック感を容易に出す構成をとることである。
【００１１】
【課題を解決するための手段】
本発明は全述の問題を解決すべく、以下の構成をとる。
【００１２】
すなわち、外装にはクリック感を出すためのツメやフックは設けず、外装付近の別部材にその役割を持たせるべく、フックを設ける。開閉部材には従来と同じようなツメを設け、前記フックと前記ツメが乗り上げを超えるときにクリック感を出すように出来る。フックの位置は、例えば、アームホルダであり、または、スイッチカバーとなる。
【００１３】
この場合、前記開閉部材上にクリックツメを配している。前記アームボスはシャッタアームを押し込み、レーザシャッタを開けると同時に、前記クリックフックは前記アームホルダ上のフックを乗り越えるため、ユーザーにクリック感を与えることが出来る。
【００１４】
このような構成をとることで、外観の制約を受けることなくクリック位置を、例えば、前記アームホルダの位置などに決めることが出来る。
【００１５】
また、既存部材にフック部分を設けるため、新部材追加の必要は無く、コスト面についても、有利となる。
【００１６】
また、外装にクリック部分を設けないので、破損に関しては前記アームホルダや前記スイッチカバーといった、小さな部材の交換だけですみ、大きな負担にはならない。
【００１７】
【発明の実施の形態】
以下に本発明に関する実施例を示す。
【００１８】
（第１の実施例）
以下に第１の実施例を示す。
【００１９】
図１に画像形成装置を示す。本実施例の画像形成装置１は、前記画像形成装置１本体に対して開閉可能な開閉部材２、前カバー３を含む外装、画像信号によりレーザ光を照射するレーザスキャナ４、前記レーザスキャナ４のレーザ光照射口に回転により開閉可能に取り付けられたレーザシャッタ５を含むレーザスキャナユニット、前記レーザスキャナの保護と前記画像形成装置の補強を目的としたスキャナカバー６、前記レーザシャッタ５にリンク機構をもって前記レーザシャッタ５を回転させるように連結された棒状のシャッタアーム７、前記レーザスキャナと対向側に位置し、また、画像形成装置本体の開閉部材の近くに位置し、前記シャッタアームの端部を支えると共に、前記シャッタアームを鉛直方向にスライド動作させるためのガイドとなり、また、その形状は筒形状であるアームホルダ８を含む本体フレームユニット、ＯＮ／ＯＦＦにより、電源を管理するドアスイッチ９を含む電装基盤、カートリッジ１０を持つ。
【００２０】
前記開閉部材２は回転中心１１を中心に回転することにより開閉され、それにより、前記カートリッジ１０の着脱が可能となる。
【００２１】
前記開閉部材２は前記ドアスイッチ９を押すためのスイッチボス１２を備えている。前記開閉部材２の回転動作に伴って、前記ドアスイッチ９と前記スイッチボス１２の押し込み、非押し込みの状態があり、それにより、前記開閉部材２の開閉を電気的に判断することが出来る。例えば、前記開閉部材２が開いた状態のときは、前記ドアスイッチ９はＯＦＦであり、そのときは、例えば、ＬＥＤの点灯等の手段でユーザーにエラーを告知することが出来る。
【００２２】
前記開閉部材２は前記シャッタアーム７を押すためのアームボス１３を備えている。前記シャッタアーム７は前記レーザシャッタ５とリンク機構を取っており、前記シャッタアーム７が押し込まれると、前記レーザシャッタ５が開く。前記レーザシャッタ５は前記レーザシャッタユニットからのレーザ光が外に漏れないようするもので、例えば、前記ドアスイッチ９が何らかの原因で故障し、前記開閉部材２が開いた状態のとき、レーザ光がレーザスキャナユニットから照射される状況を防いでいる。前記レーザシャッタ５は、前述のような故障が発生した場合を想定すると欠かすことは出来ない。前記レーザシャッタ５は前記開閉部材２が全閉の時に、全開するようにし、また、そのときは、レーザ光と接触しないような位置をとる。本実施例では、前記開閉部材が、全閉のとき、レーザ光と前記レーザシャッタ５との間隔は２ｍｍとしている。
【００２３】
前記開閉部材２が回転中心１１を中心に回転動作を行うと、アームボス１３はシャッタアーム７と押し込み、非押し込みの状態を持ち、アームボス１３がシャッタアーム７を押し込むとき、すなわち、前記開閉部材２が閉じている状態のとき、前記レーザシャッタ５は開いた状態となり、逆に、前記開閉部材２が開いている状態では前記レーザシャッタ５は閉じた状態となる。
【００２４】
前記開閉部材２はレーザ光隠しリブ１４を備えている。レーザ光を外に照射させないために前記レーザシャッタ５があるが、前記アームボス１３の押し込み量と前記レーザシャッタ５の回転角の関係や、前記開閉部材２、前カバー３、スキャナカバー６の位置関係により、ごく僅かな隙間が現れる場合がある。レーザ光隠しリブ１４はその隙間によって画像形成装置１本体外に漏れる恐れがあるレーザ光を遮る役割をしている。
【００２５】
前記開閉部材２上の前記アームボス１３付近には、クリックツメ１５があり、また、アームホルダ８には、図３に示すようなクリックフック１６がある。前記開閉部材２の開閉によって、前記クリックツメ１５が前記クリックフック１６を乗り越え、そのときに、前記開閉部材２の開閉のクリック感が生じる。クリック感はユーザーにとって、完全に閉まったか、または、開いたかを知る、重要な情報であると共に、製品の印象が決まる重要な要因である。前記クリックツメはツメの形状、前記クリックフック１６も同様にフックの形状により、クリック感を変化させることが出来る。また、前記開閉部材２の自重のみで、全閉させるか、前記クリックツメ１５と前記クリックフック１６との間で乗り上げさせ、一度止めてから、ユーザーの力で全閉にするのか、を選択することが出来る。
【００２６】
本実施例では、後者の一度止めてから、ユーザーの力で全閉させることにしている。これは、前記開閉部材２が小さく、重量が小さいため、前記クリックツメ１５が前記クリックフック１６を乗り越えられなく、完全に前記開閉部材２が閉まらなくなる恐れがあるためである。
【００２７】
以下に本実施例での動作を図３、４、５をもとに示す。
【００２８】
まず、開閉部材２を開ける。このときクリックツメ１５とクリックフック１６はツメ部分、フック部分を乗り越え、クリック感を発生させながらツメとフックの頂点を越える。乗り越えた後は、前記クリックフック１６の復元力により、前記クリックツメ１５は前記開閉部材２が開く方向に押し上げられる。押し上げられる過程で、はじめに、アームボス１３とシャッタアーム７は非接触となり、レーザシャッタ５は前閉となる。その後、スイッチボス１２はドアスイッチ９と非接触状態となり、前記ドアスイッチ９ＯＦＦの状態になり、ドアオープンエラーがＬＥＤの点灯等でユーザーに知らされる。この順番はレーザ光を画像形成装置１外に漏れさせない上で、必須である。ここで、前記クリックツメ１５が、前記開閉部材２が開く方向に完全に押し上げられる前の状態では、前記レーザシャッタ５は全閉では無いため、レーザ光が前記画像形成装置１外に漏れる恐れがあるが、前記クリックフック１６が前記クリックツメ１５を押し上げるため、レーザ光が漏れるような中途半端な位置に前記開閉部材２が留まらない。すなわち、開閉部材が完全に開いているか、完全に閉じているか、のどちらかの状態のみとなる。また、レーザ光隠しリブ１４と前記開閉部材２、前記前カバー３の位置関係により、レーザ光が漏れることは無い。ユーザーが更にユーザー自身の力で前記開閉部材２を全開の位置まで開け、その後、カートリッジ１０の交換などの作業を行う。
【００２９】
ユーザーが作業を終えて、前記開閉部材２を閉める場合は、前記クリックツメ１５と前記クリックフック１６が乗り上げるところまで前記開閉部材２が閉じていく。前記クリックツメ１５と前記クリックフック１６が乗り上げるところまで閉じるが、乗り上げたときは、前記ドアスイッチはＯＦＦの状態であり、また、前記レーザシャッタ５は前閉している。その後、ユーザー自身の力によって、前記クリックツメ１５が前記クリックフック１６を乗り越えることにより、ユーザーがクリック感を感じながら、前記開閉部材２は全閉する。このとき、前記ドアスイッチ９と前記レーザシャッタ５の関係は、前記開閉部材を開ける場合と逆になる。すなわち、まず、前記ドアスイッチ９を前記スイッチボス１２が押し込み、ＯＮの状態になる。その後、前記アームボス１３と前記シャッタアーム７が押し込み状態となる。前記クリックツメ１５と前記クリックフック１６はそれぞれの頂点を越えると、前記開閉部材２が全閉になる方向に引き込む。また、前記開閉部材２を開ける場合と同様に前記クリックツメ１５が前記クリックフック１６に引き込まれるため中途半端な位置に前記開閉部材２が留らない。すなわち、開閉部材が完全に開いているか、完全に閉じているか、のどちらかの状態のみとなる。レーザ光隠しリブ１４と前記開閉部材２、前記前カバー３の位置関係により、レーザ光が漏れることは無い。
【００３０】
（第２の実施例）
以下に第２の実施例を示す。
【００３１】
図６、７、８はアームホルダ８とクリックフック１６の関係を示している。アームホルダ８の筒状の壁にクリックフック１６を設ける。
【００３２】
開閉部材上にはアームボス１３が備えられ、前記アームボス１３が前記シャッタアーム７を押し込みレーザシャッタ５が開かれる。前記アームボス１３にクリックツメ１５が備えられる。前記開閉部材が閉じられるとき、前記アームボス１３が前記シャッタアーム７を押し込むと同時に、前記クリックツメ１５は前記クリックフック１６を乗り越え、クリック感を生じさせる。前記クリックツメ１５は図８に示す方向のため、乗り越えのときに、前記シャッタアーム７のストロークを妨げるような狭くなる方向には向かわない。
【００３３】
前記開閉部材が開けられる場合も同様である。
【００３４】
このような構成をとることで、前記アームホルダ８を前記アームボス１３が通過できる大きさに小さくすることが出来るため、画像形成装置本体のコンパクト化にも繋がる。
【００３５】
（第３の実施例）
以下に第３の実施例を示す。
【００３６】
図９、１０、１１は、スイッチカバー１９とその周辺部材の様子を示す。前記スイッチカバー１９は本実施例では、ドアスイッチ９の上部に位置する本体フレーム上に取り付いた、筒状の部材で、筒の内部を前記スイッチボス１２が通過し、ドアスイッチのＯＮ／ＯＦＦを行う。
【００３７】
前記ドアスイッチ９は、本実施例においては図１２の位置にクリックフック１６を設けている。開閉部材２はスイッチボス１２を設けてあり、前記スイッチボス１２上にクリックツメ１５が備えられる。前記開閉部材２が閉じるときは、前記スイッチボス１２は、前記スイッチカバー１９内を通過して、前記ドアスイッチ９を押し込む。このとき、同時に前記スイッチボス１２上に備えられた前記クリックツメ１５は、前記スイッチカバー１９に備えられた前記クリックフックを乗り越え、クリック感を発生させる。
【００３８】
このような構造をとることで、前述の実施例２のように、前記アームホルダ８は前記アームボス１３が通過できる大きさに小さくすることが出来るため、画像形成装置本体のコンパクト化にも繋がる。
【００３９】
【発明の効果】
以上の説明のように、本発明によれば、新部材を追加しなくても開閉部材の適度なクリック感を簡単に発声させることができ、画像形成装置本体のコンパクト化にも繋がる。
【００４０】
また、部材の破損時の部材交換が小さな部材の交換なので、容易になる。
【図面の簡単な説明】
【図１】画像形成装置の斜視図
【図２】画像形成装置の側面図
【図３】実施例１の斜視詳細図
【図４】実施例１の側面詳細図
【図５】実施例１の斜視拡大図
【図６】実施例２の斜視詳細図
【図７】実施例２の側面詳細図
【図８】実施例２の斜視拡大図
【図９】実施例３の斜視詳細図
【図１０】実施例３の側面詳細図
【図１１】実施例３の斜視拡大図
【図１２】従来の例
【符号の説明】
１  画像形成装置
２  開閉部材
３  前カバー
４  レーザスキャナ
５  レーザシャッタ
６  スキャナカバー
７  シャッタアーム
８  アームホルダ
９  ドアスイッチ
１０  カートリッジ
１１  回転中心
１２  スイッチボス
１３  アームボス
１４  レーザ光隠しリブ
１５  クリックツメ
１６  クリックフック
１７  シート
１８  スイッチカバー
【図１】
2005062269.tif 000003
【図２】
2005062269.tif 000004
【図３】
2005062269.tif 000005
【図４】
2005062269.tif 000006
【図５】
2005062269.tif 000007
【図６】
2005062269.tif 000008
【図７】
2005062269.tif 000009
【図８】
2005062269.tif 000010
【図９】
2005062269.tif 000011
【図１０】
2005062269.tif 000012
【図１１】
2005062269.tif 000013
【図１２】
2005062269.tif 000014